(57)【要約】【課題】スクラッチ層を削り取ったのちも、意匠性が高く、セキュリティ面でも優れたスクラッチカードを提供することを目的とした。【解決手段】基材の上に設けられた隠蔽情報を隠蔽するスクラッチシール１は、シール基材４と、シール基材４の一方の面に設けられたスクラッチ層２と、シール基材４の、スクラッチ層２が設けられていない面に設けられた、ホログラム層５および透明反射層６と、スクラッチシール１を基材に積層させるための粘着層７を備えたことで、スクラッチ層を削り取ったのちも、意匠性が高く、セキュリティ面でも優れたスクラッチカードを提供するスクラッチカードを提供する。【選択図】  図２
2014117810.tif 000002
【特許請求の範囲】
【請求項１】
基材の上に設けられた隠蔽情報を隠蔽するスクラッチシールであって、
シール基材と、
前記シール基材の一方の面に設けられた隠蔽層と、
前記シール基材の、前記隠蔽層が設けられていない面に設けられた、ホログラム層および透明反射層と、
前記スクラッチシールを前記基材に積層させるための粘着層
を備えたスクラッチシール。
【請求項２】
請求項１に記載のスクラッチシールにおいて、
前記シール基材の一方の面に設けられた前記ホログラム層の面積は、前記シール基材の他方の面に設けられた前記隠蔽層の面積よりも小さい
ことを特徴とするスクラッチシール。
【請求項３】
請求項１または請求項２に記載のスクラッチシールにおいて、
前記シール基材は、透明又は半透明である
ことを特徴とするスクラッチシール。
【請求項４】
請求項１から請求項３のうちいずれか一項に記載のスクラッチシールにおいて、
前記隠蔽層の、前記シール基材と積層されていない面に、地紋印刷が設けられている
ことを特徴とするスクラッチシール。
【請求項５】
請求項１から請求項４のうちいずれか一項に記載のスクラッチシールにおいて、
前記スクラッチシールには、切り込みが設けられている
ことを特徴とするスクラッチシール。
【発明の詳細な説明】
【技術分野】
【０００１】
本発明は、削ること等により除去される隠蔽層（以下、スクラッチ層という）を備えたスクラッチシールに関するものである。
【背景技術】
【０００２】
従来、宝くじカード、抽選くじカード、プリペイドカードなどの各種カードには、くじ結果や個別情報等を隠蔽するためのスクラッチ層が設けられている。このスクラッチ層は充分な隠蔽効果を持たせるために、通常は厚い銀インキ層として印刷により形成される（例えば、特許文献１、２）。しかし、この銀インキ層は、スクラッチカードの主要部分に設けられているものの、地味で意匠性の低いものである。
【０００３】
また、近年では、基材上の隠蔽したい情報を簡単に隠蔽できるように、スクラッチ部分をシール化したスクラッチシールというものが製造されているが、第三者がこのスクラッチシールのスクラッチ層を削り取らずにシールの基材ごと剥がし、隠蔽された情報を確認したのちに、新しいスクラッチシールに貼り替えるといったような不正を行うことが可能であり、セキュリティ面での不安が残る。
【０００４】
このような問題に対応するため、スクラッチ層上にホログラム層を設けたスクラッチカードを出願人は提案している（ 例えば、特許文献３参照）。スクラッチ層上にホログラム層を設けることで意匠性を向上させることができる。また、ホログラムを製造するには特別な設備や技術が必要なため、スクラッチ部分をシール化した場合でも、スクラッチ層上に同一絵柄のホログラム層を設けたスクラッチシールを入手することは難しく、第三者が隠蔽された情報を不正に確認したのちに、新しいスクラッチシールに貼り替えるというリスクを低減することができる。
【先行技術文献】
【特許文献】
【０００５】
【特許文献１】実開平６−４２２２９号公報
【特許文献２】特開２００３−７２２６８号公報
【特許文献３】特開２００８−１３７３０７号公報
【発明の概要】
【発明が解決しようとする課題】
【０００６】
しかし、このスクラッチカードは、使用時にホログラム層はスクラッチ層ごと削り取られて剥離層面から除去されるため、スクラッチ層を削り取ったのちは通常のスクラッチカードとの違いはない。そのため、スクラッチ層を削り取ったのちのカードの意匠性は低いままである。また、スクラッチ層を削り取ったのちにカード所有者の手元に残るカードの情報が、カード所有者の手元に渡る前に第三者が不正に確認したものであるか否かを判断することは難しい。
【０００７】
そこで本発明は、スクラッチ層を削り取ったのちも、意匠性が高く、セキュリティ面でも優れたスクラッチシールを提供することを目的とした。
【課題を解決するための手段】
【０００８】
本発明は、以下の各様態により上記の課題を解決するものである。
【０００９】
本発明に係る、スクラッチシールは、基材の上に設けられた隠蔽情報を隠蔽するスクラッチシールであって、シール基材と、シール基材の一方の面に設けられた隠蔽層と、シール基材の、隠蔽層が設けられていない面に設けられた、ホログラム層および透明反射層と、スクラッチシールを基材に積層させるための粘着層を備えたことを特徴とする。
【００１０】
本スクラッチシールの構成によれば、スクラッチ層を削り取ったのちも基材の上にホログラム層が残るため、意匠性が高く、セキュリティ面でも優れたスクラッチカードを提供することができる。
【００１１】
上記スクラッチシールにおいては、シール基材の一方の面に設けられたホログラム層の面積は、シール基材の他方の面に設けられた隠蔽層の面積よりも小さくする。
【００１２】
この構成によれば、ホログラム層が隠蔽層に覆われることで、スクラッチシールの外観からはホログラム層の存在に気付きにくく、スクラッチシールの貼り替えなどのような不正が行われるリスクを低減させることができる。
【００１３】
上記スクラッチシールにおいては、シール基材は、透明又は半透明であると良い。
【００１４】
この構成によれば、スクラッチシールのスクラッチ層を削り取ったのちに、透明又は半透明のシール基材を通して基材の上に設けられた隠蔽情報を確認することができる。
【００１５】
上記スクラッチシールにおいては、隠蔽層の、シール基材と積層されていない面に、地紋印刷を設けることができる。
【００１６】
この構成によれば、スクラッチシールの意匠性を高め、スクラッチシールの貼り替えを行うことをより困難にすることができ、セキュリティ性を向上することができる。
【００１７】
上記スクラッチシールにおいては、スクラッチシールに切り込みが設けられていると良い。
【００１８】
この構成によれば、スクラッチシールを基材から剥がすことをより困難にすることができ、セキュリティ性を向上することができる。
【発明の効果】
【００１９】
本発明ではスクラッチ層を削り取ったのちも意匠性が高く、セキュリティ面でも優れたスクラッチシールを提供することができる。
【図面の簡単な説明】
【００２０】
【図１】（ａ）本実施形態のスクラッチシールが設けられたスクラッチカードの正面図の一例である。（ｂ）（ａ）に示すスクラッチカードのＡ−Ａ線の断面図である。
【図２】本実施形態のスクラッチシールの断面図である。
【図３】本実施形態のスクラッチシールの製造方法のフロー図である。
【図４】本実施形態のスクラッチシールのスクラッチ層が削り取られたのちのスクラッチカードの正面図の一例である。
【図５】本実施形態のスクラッチシールが設けられたスクラッチカードの正面図の他の一例である。
【図６】本実施形態のスクラッチシールが設けられたスクラッチカードの正面図の他の一例である。
【発明を実施するための形態】
【００２１】
以下、本発明の実施の形態について図面を参照して説明する。
【００２２】
図１について、まず、本実施形態のスクラッチシールが設けられたスクラッチカードについて説明する。
【００２３】
図１（ａ）は、本実施形態のスクラッチシールが設けられたスクラッチカードの正面図の一例であり、図１（ｂ）は図１（ａ）のＡ−Ａ線断面図である。
【００２４】
スクラッチカード１０は、秘密情報が隠蔽されたカードであって、宝くじカード、抽選くじカード、スピードくじカード、通信関係のプリペイドカード、ギフトカード等として用いられる。また、カード１０のカードとはカード形状に限らず、ラベル、切片、しおり、チラシ状などの、種々の形態でもよい。
【００２５】
スクラッチカード１０は、カード基材１１、印刷層１２、そして本実施形態のスクラッチシール１を備えている。
【００２６】
カード基材１１は、このスクラッチカード１０の担体となる基材であって、例えば天然繊維紙、コート紙、トレーシングペーパー、転写時の熱で変形しないプラスチックフイルム、ガラス、金属、セラミックス、木材、布あるいは染料受容性のある媒体等いずれのものでもよく、用途によって、適宜選択すればよい。
【００２７】
また、カード基材１１には、「☆スクラッチカード☆」「☆ＳＣＲＡＴＣＨ  ＣＡＲＤ☆」という印刷が施されているが、印刷される文字はこれに限らず、他にも、画像、着色、その他の加飾が施されていてもよい。
【００２８】
印刷層１２は、カード基材１１の少なくとも一方の面に形成されており、適宜の秘密情報（例えば、くじの当否、くじの番号、個別情報、シリアルナンバー、可変ナンバー、文字データ、画像、コード、マーク等）を含む情報が印刷された層である。印刷層１２は、オフセット印刷、グラビア印刷、シルクスクリーン印刷などの公知の印刷法で形成することができる。
【００２９】
次に、本実施形態のスクラッチシール１について説明する。
【００３０】
図２は、本実施形態のスクラッチシールの断面図である。
【００３１】
本実施形態のスクラッチシール１は、カード基材１１に設けられた印刷層１２の秘密情報を覆うようにカード基材１１に貼付される。スクラッチシール１は、印刷層１２を覆うことが可能であれば特に形状や大きさは限定されず、矩形、円形、楕円形状や、印刷層１２に沿った形状でもよい。
【００３２】
スクラッチシール１は、図２に示すように、スクラッチ層２／剥離層３／シール基材４／ホログラム層５／透明反射層６／粘着層７の層構成を有している。
【００３３】
スクラッチ層２は、コイン等で削り取ることが可能な層であって、カード基材１１に設けられた印刷層１２の秘密情報を隠蔽するための層である。
【００３４】
スクラッチ層２は、隠蔽性のあるインキを印刷すればよい。例えば、金属粉をインキ化した銀インキなどをオフセット印刷、グラビア印刷、シルクスクリーン印刷などの公知の印刷法で形成すればよく、隠蔽性をあげるために複数回印刷してもよい。
【００３５】
剥離層３は、スクラッチ層２のシール基材４からの削り取りを容易にするための層である。剥離層３は、例えば、弗素系樹脂、シリコーン、各種のワックスなどの離型剤を添加または共重合させたアクリル系樹脂、ビニル系樹脂、ポリエステル樹脂、繊維素系樹脂、ワックス、メラミン系樹脂等を用いることができる。
【００３６】
シール基材４は、本実施形態のスクラッチシール１の基材である。このシール基材４は、透明又は半透明の基材であることが望ましい。こうすることで、スクラッチ層２を削り取ったのちに、シール基材４を通して、カード基材１１に設けられた印刷層１２の秘密情報を視認することができる。また、このシール基材４は、スクラッチシール１の基材としての機能の他に、スクラッチシール１をカード基材１１に貼付し、スクラッチ層２を削り取ったのちに、ホログラム層５とカード基材１１に設けられた印刷層１２を保護する保護層としての機能も持ち合わせる。
【００３７】
シール基材４は、耐熱性、機械的強度、製造に耐える機械的強度、耐溶剤性などがあれば、用途に応じて種々の材料が適用できる。例えば、ポリエチレンテレフタレート・ポリブチレンテレフタレート・ポリエチレンナフタレートなどのポリエステル系樹脂、ポリアミド系樹脂、ポリ塩化ビニルなどのビニル系樹脂、アクリル系樹脂、イミド系樹脂、ポリアリレートなどのエンジニアリング樹脂、ポリカーボネート、環状ポリオレフィン系樹脂、セロファンなどのセルロース系フィルムなどがある。該転写基材は、これら樹脂を主成分とする共重合樹脂、または、混合体（アロイでを含む）、若しくは複数層からなる積層体であっても良い。通常は、ポリエチレンテレフタレート、ポリエチレンナフタレート等のポリエステル系のフィルムが、耐熱性、機械的強度がよいため好適に使用され、ポリエチレンテレフタレートが最適である。
【００３８】
また、シール基材４は、延伸フィルムでも、未延伸フィルムでも良いが、強度を向上させる目的で、一軸方向または二軸方向に延伸したフィルムが好ましい。
【００３９】
シール基材４の厚さは、通常、２．５〜５０μｍ程度が適用できるが、２．５〜１２μｍが好適で、４〜６μｍが最適である。シール基材４は、ホログラム層５の塗布に先立って塗布面へ、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、などの易接着処理を行ってもよい。また、必要に応じて、充填剤、可塑剤、着色剤、帯電防止剤などの添加剤を加えても良い。
【００４０】
ホログラム層５は、物体光と参照光との光の干渉による干渉縞を凹凸のレリーフ形状で記録されたものである。
【００４１】
例えば、フレネルホログラム等のレーザ再生ホログラム、及びレインボーホログラム等の白色光再生ホログラム、さらに、それらの原理を利用したカラーホログラム、コンピュータジェネレーティッドホログラム（ＣＧＨ）、ホログラフィック回折格子などがある。レリーフ形状は凹凸形状であり、特に限定されるものではなく、微細な凹凸形状を有する光拡散、光散乱、光反射、光回折などの機能を発現するものでもよく、例えば、フーリエ変換やレンチキュラーレンズ、光回折パターン、モスアイ、が形成されたものである。また、光回折機能はないが、特異な光輝性を発現するヘアライン柄、マット柄、万線柄、干渉パターンなどでもよい。
【００４２】
ホログラム層５は、少なくとも電離放射線硬化樹脂に、反応性シリコーン及びポリエチレンワックスを含んだ材料を用いる。また、好ましくは、（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを含有する電離放射線硬化性樹脂、反応性シリコーン及びポリエチレンワックスを含むようにする。さらに好ましくは、（メタ）アクリレートオリゴマーも含ませて硬化させる。該組成物を塗布し乾燥して、ホログラム機能を発現する微細な凹凸レリーフを賦型した後に、電離放射線で硬化させればよい。電離放射線硬化性樹脂は架橋性樹脂ともいわれ、他の層でも同様である。
【００４３】
透明反射層６は、ホログラム層５に形成された微細な凹凸レリーフ面へ設けることにより、レリーフの反射及び／又は回折効果を高める。
【００４４】
透明反射層６はほぼ無色透明な色相で、その光学的な屈折率がホログラム層のそれとは異なることにより、金属光沢が無いにもかかわらず、ホログラムなどの光輝性を視認できるから、透明なホログラムを作製することができる。透明反射層６は、ホログラム層５の反射率より高ければ、特に限定されないが、例えば、ホログラム層５よりも光屈折率の高い薄膜、および光屈折率の低い薄膜とがあり、前者の例としては、ＺｎＳ、ＴｉＯ2、Ａｌ2Ｏ3、Ｓｂ2Ｓ3、ＳｉＯ、ＳｎＯ2、ＩＴＯ等があり、後者の例としては、ＬｉＦ、ＭｇＦ2、ＡｌＦ3がある。好ましくは、金属酸化物又は窒化物であり、具体的には、Ｂｅ、Ｍｇ、Ｃａ、Ｃｒ、Ｍｎ、Ｃｕ、Ａｇ、Ａｌ、Ｓｎ、Ｉｎ、Ｔｅ、Ｆｅ、Ｃｏ、Ｚｎ、Ｇｅ、Ｐｂ、Ｃｄ、Ｂｉ、Ｓｅ、Ｇａ、Ｒｂ、Ｓｂ、Ｐｂ、Ｎｉ、Ｓｒ、Ｂａ、Ｌａ、Ｃｅ、Ａｕ等の酸化物又は窒化物他はそれらを２種以上を混合したもの等が挙げられる。またアルミニウム等の一般的な光反射性の金属薄膜も、厚みが２００Å以下になると、透明性が出て使用できる。さらには、ホログラム層５と光の屈折率の異なる透明な合成樹脂を使用してもよい。
【００４５】
粘着層７は、スクラッチシール１をスクラッチカード１０に貼付するために形成される。粘着層７は、例えば、アクリル系粘着剤が最も好ましく、その他は、天然ゴム系粘着剤、合成ゴム系粘着剤、シリコーンゴム系粘着剤等でも良い。また、粘着層７は、透明又は半透明の基材であることが望ましい。こうすることで、スクラッチ層２を削り取ったのちに、粘着層７を通して、カード基材１１に設けられた印刷層１２の秘密情報を視認することができる。
【００４６】
次に、本実施形態のスクラッチシールの製造方法について説明する。
【００４７】
図３は、本実施形態のスクラッチシールの製造方法のフロー図である。
【００４８】
まず、第１の工程（ステップ１以下「Ｓ１」と記載する）では、シール基材４にホログラム層５を形成する。
【００４９】
ホログラム層５は、電離放射線硬化性樹脂に必要に応じて（メタ）アクリレートオリゴマー、反応性シリコーン、及びポリエチレンワックスを含ませ、さらに必要に応じて光重合開始剤、可塑剤、安定剤、界面活性剤等を加え、溶媒へ分散または溶解して、ロールコート、グラビアコート、コンマコート、ダイコートなどの公知のコーティング方法でシール基材４に塗布したのちに乾燥させ、塗膜を形成する。ホログラム層５の厚さとしては、通常は０．５μｍ〜２０μｍ程度、好ましくは１μｍ〜１０ｍ程度であり、複数回の塗布でもよい。
また、ホログラム層５の周縁はシール基材４の周縁より０．１〜２ｍｍ小さく形成するのが好ましい。ホログラム層５をシール基材４よりも小さく形成することで、ホログラム層５が、後の工程でシール基材４に形成されるスクラッチ層２に覆われることで、スクラッチシールの外観からはホログラム層５の存在に気付きにくくなり、セキュリティ性を向上させることができる。
【００５０】
次に、第２の工程（Ｓ２）では、ホログラム層５の表面に光回折効果を発現するレリーフ構造を形成し、硬化させる。
【００５１】
ホログラム層５の表面への、レリーフ構造の形成（複製ともいう）は、公知の方法によって形成でき、例えば、回折格子やホログラムの干渉縞を表面凹凸のレリーフとして記録する場合には、回折格子や干渉縞が凹凸の形で記録された原版をプレス型（スタンパという）として用い、上記樹脂層上に前記原版を重ねて加熱ロールなどの適宜手段により、両者を加熱圧着することにより、原版の凹凸模様を複製することができる。ここでレリーフ構造とはホログラムレリーフ構造を意味する。
【００５２】
ホログラム層５は、スタンパでエンボス中、又はエンボス後に、電離放射線を照射して、電離放射線硬化性樹脂を硬化させる。上記の電離放射線硬化性樹脂は、レリーフを形成後に、電離放射線を照射して硬化（反応）させると電離放射線硬化樹脂（ホログラム層５）となる。電離放射線としては、電磁波が有する量子エネルギーで区分する場合もあるが、本明細書では、すべての紫外線（ＵＶ‐Ａ、ＵＶ‐Ｂ、ＵＶＣ）、可視光線、ガンマー線、Ｘ線、電子線を包含するものと定義する。従って、電離放射線としては、紫外線（ＵＶ）、可視光線、ガンマー線、Ｘ線、または電子線などが適用できるが、紫外線（ＵＶ）が好適である。電離放射線で硬化する電離放射線硬化性樹脂は、紫外線硬化の場合は光重合開始剤、及び／又は光重合促進剤を添加し、エネルギーの高い電子線硬化の場合は添加しないで良く、また、適正な触媒が存在すれば、熱エネルギーでも硬化できる。
【００５３】
レリーフ構造の形成方法として、ホログラム撮影記録手段を利用して作製されたホログラムや回折格子の他に、干渉や回折という光学計算に基づいて電子線描画装置等を用いてもよい。また、ヘアライン柄や万線柄のような比較的大きなパターンなどは機械切削法でもよい。これらのホログラム及び／又は回折格子は単一若しくは多重に記録しても、組み合わせて記録しても良い。これらの原版は公知の材料、方法で作成することができ、通常、感光性材料を塗布したガラス板を用いたレーザ光干渉法、電子線レジスト材料を塗布したガラス板に電子線描画装置を用いてパターン作製する電子線描画法をなどが適用できる。
【００５４】
ホログラム層５の絵柄は、特に限定されないが、擬似連続絵柄とすることが好ましい。擬似連続絵柄はプレス型（スタンパという）を作成する際に、小さなレリーフ版の複数を、精度よく突合せてつなぎ目を目立たなくしたり、つなぎ目を樹脂で埋めたりすればよい。このように、擬似連続絵柄とすることで、できるだけ大きな面積、又は好ましくは全面とすることもできる。
【００５５】
次に、第３の工程（Ｓ３）では、透明反射層６を、ホログラム層５に設けられたレリーフ構造の表面へ形成する。
【００５６】
透明反射層６は、ホログラム層５のレリーフ面に、１０〜２０００ｎｍ程度、好ましくは２０〜１０００ｎｍの厚さになるよう、蒸着、スパッタリング、イオンプレーティング、ＣＶＤなどの真空薄膜法などにより設ける。
【００５７】
次に、第４の工程（Ｓ４）では、シール基材４の、ホログラム層５が形成されていない他方の面に、剥離層３を形成する。
【００５８】
剥離層３は、スクラッチ層２のシール基材４からの削り取りを容易にするための層であり、例えば、シリコーン系の剥離インキによって形成される。また、スクラッチ層２がシール基材４から十分に削り取られる機能を有していた場合は、剥離層３はなくてもよい。
【００５９】
次に、第５の工程（Ｓ５）では、剥離層３が形成されたシール基材４の表面にスクラッチ層２を形成する。
【００６０】
スクラッチ層２は、金属粉をインキ化した銀インキなどをオフセット印刷、グラビア印刷、シルクスクリーン印刷などの公知の印刷法で形成することができる。
【００６１】
そして、第６の工程（Ｓ６）では、透明反射層６の表面に粘着層７を形成する。
【００６２】
粘着層７の塗布量や塗布厚は特に限定されないが、好ましくは、塗布量は０．１〜５０ｇ／ｍ2であり、塗布厚は０．１〜５０μｍである。粘着剤の粘度は、１００００〜１０００００ｍＰa・ｓ程度が望ましい。粘着剤と接着剤の塗布方法は、例えば、比較的高速化が可能なグラビア方式やスプレーコート方式、フレキソ方式等によるコーティング等が使用できる。
【００６３】
次に、本実施形態のスクラッチシール１の使用方法について説明する。
【００６４】
本実施形態のスクラッチシール１は、まず、スクラッチカード１０に設けられた印刷層１２の秘密情報を覆うように粘着層７によってスクラッチカード１０に貼付される。カード所有者は、スクラッチシール１が貼付されたスクラッチカード１０を受け取る。ここで、スクラッチシール１のホログラム層５は、スクラッチシール１のスクラッチ層２よりも０．１〜２ｍｍ小さく形成されているので、スクラッチシールの外観からホログラム層５の存在に気付く可能性は少ない。
【００６５】
次にカード所有者は、スクラッチカード１０に貼付されたスクラッチシール１のスクラッチ層２を、コインや爪などを用いて削り取る。スクラッチ層２を削り取ると、透明又は半透明のシール基材４を通してホログラム層５の絵柄を視認することができる。さらにホログラム層５の絵柄の下に、透明又は半透明の粘着層７を通して、カード基材１１に設けられた印刷層１２の秘密情報を視認することができる。ここで、シール基材を半透明にすることで、より秘密情報が視認しにくくなり、セキュリティ性がさらに向上する。
【００６６】
図４は、本実施形態のスクラッチシール１の、スクラッチ層２が削り取られたのちのスクラッチカード１０の正面図の一例である。
【００６７】
スクラッチ層２が削り取られたのちのスクラッチカード１０は、印刷層１２の秘密情報「１２３４５６７８」がホログラム層５の絵柄を通して視認することができる状態になっている。つまり、カード所有者の手元に残るスクラッチカード１０には、ホログラム層５が残るため、スクラッチ層２が削り取られたのちであっても、スクラッチカードの意匠性を向上させることができる。また、ホログラム層５がスクラッチカードに残ることで、仮にスクラッチシールの貼り替え等のような不正が行われた場合であっても、ホログラム層の有無によって、印刷層１２の秘密情報「１２３４５６７８」がカード所有者の手元に渡る前に第三者が不正に確認したものであるか否かを判断することが可能であり、セキュリティ性を向上させることができる。
【００６８】
さらに、スクラッチシール１のシール基材４は、ホログラム層５および印刷層１２を保護し、印刷層１２の秘密情報の改ざんを防止するという機能を備えている。
＜本実施形態による作用効果＞
本実施形態によれば、シール基材と、シール基材の一方の面に設けられたスクラッチ層と、シール基材の、スクラッチ層が設けられていない面に設けられた、ホログラム層および透明反射層と、スクラッチシールを基材に積層させるための粘着層を備えたことで、スクラッチ層を削り取ったのちも意匠性が高く、セキュリティ面でも優れたスクラッチシールを提供することができる。
【００６９】
＜変形例＞
以上本発明の実施形態について説明したが、本発明は前述した実施形態に限定されるものではなく、種々の変形や変更が可能であって、それらも本発明の技術的範囲内である。
【００７０】
例えば、図５のように、本実施形態のスクラッチシールのスクラッチ層２の表面に、地紋印刷層１３を設けてもよい。地紋印刷を設けることで、スクラッチシールの貼り替えによる不正が行われるリスクを低減させることができる。
【００７１】
また、図６のように、本実施形態のスクラッチシールに切り込み１４を入れても良い。ここで切り込み１４は、各層それぞれに形成してもよいし、全層に形成しても良い。スクラッチシールに切り込み１４を入れることで、スクラッチシールを基材から剥がすことをより困難にすることができ、スクラッチシールの貼り替えによる不正が行われるリスクを低減させることができる。
【産業上の利用可能性】
【００７２】
本発明のスクラッチシールは、スクラッチカードのほかに広告、証明書、招待状、圧着葉書などの各種用紙にも利用可能である。
【符号の説明】
【００７３】
１……スクラッチシール
２……スクラッチ層
３……剥離層
４……シール基材
５……ホログラム層
６……透明反射層
７……粘着層
１０……スクラッチカード
１１……カード基材
１２……印刷層
１３……地紋印刷層
１４……切り込み
【図１】
2014117810.tif 000003
【図２】
2014117810.tif 000004
【図３】
2014117810.tif 000005
【図４】
2014117810.tif 000006
【図５】
2014117810.tif 000007
【図６】
2014117810.tif 000008